【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
スクリーンに電子番組ガイドを表示するための方法であって、
複数のチャンネルセルを前記スクリーンに表示し、前記複数のチャンネルセルは、一列に位置合せされ、前記複数のチャンネルセルの各々は、複数のチャンネルの名称の１つに、ラベル付けされており、
カーソルを前記スクリーンに表示し、前記複数のチャンネルセルの１つを前記カーソルで選択し、
選択された前記チャンネルセルに対応した番組情報ページを前記スクリーンに表示され、
前記番組情報ページは、複数のタイムゾーンブロック、および、複数の番組ブロックを有しており、
前記複数のタイムゾーンブロックは、複数のタイムゾーンを定義するため、前記チャンネルセルに対し直角をなし、一列に位置合せされ、
前記複数の番組ブロックの各々は、前記複数のタイムゾーンの１つに対応し、対応している前記タイムゾーンにおける選択されたチャンネルのみの番組名称を示す
ことを特徴とする電子番組ガイドを表示するための方法。
【請求項２】
前記番組情報ページは、番組情報ブロックを、さらに有しており、前記複数の番組ブロックの各々は、前記カーソルによって選択され、前記番組情報ブロックにおいて選択された番組の説明を表示することを特徴とする請求項１に記載の電子番組ガイドを表示するための方法。
【請求項３】
前記番組ブロックが、前記カーソルによって選択される場合、選択された前記番組ブロックは、側方に延長することを特徴とする請求項２に記載の電子番組ガイドを表示するための方法。
【請求項４】
前記番組ブロックが、前記カーソルによって選択される場合、選択された前記番組ブロックにおける番組名称のテキストフォントは、変更されることを特徴とする請求項２に記載の電子番組ガイドを表示するための方法。
【請求項５】
前記番組ブロックが、前記カーソルによって、選択される場合、選択された前記番組ブロックにおける番組名称のフォントサイズは、増加させられることを特徴とする請求項２に記載の電子番組ガイドを表示するための方法。
【請求項６】
前記チャンネルセルは、前記スクリーンの左端の列にあり、前記タイムゾーンブロックは、前記スクリーンの上端の行にあることを特徴とする請求項１に記載の電子番組ガイドを表示するための方法。
【請求項７】
前記チャンネルセルは、前記スクリーンの上端の行にあり、前記タイムゾーンブロックは、前記スクリーンの左端の列にあることを特徴とする請求項１に記載の電子番組ガイドを表示するための方法。
【請求項８】
前記カーソルは、フレーム形状であることを特徴とする請求項１に記載の電子番組ガイドを表示するための方法。
【請求項９】
前記複数のタイムゾーンブロックの各々は、前記複数のタイムゾーンの１つを定義するための時刻を有することを特徴とする請求項１に記載の電子番組ガイドを表示するための方法。
【請求項１０】
前記複数のタイムゾーンブロックの各々は、前記複数のタイムゾーンの１つを定義するための時刻を有することを特徴とする請求項２に記載の電子番組ガイドを表示するための方法。
【請求項１１】
前記番組情報ページは、複数の日付セルを、さらに有しており、
前記複数の日付セルの各々は、日付がラベル付けされており、
前記複数の日付セルが、前記カーソルによって選択される場合、前記複数の日付セルの１つに対応する日付における、以前に選択されたチャンネルの番組情報が、表示される
ことを特徴とする請求項１に記載の電子番組ガイドを表示するための方法。
【請求項１２】
前記日付セルは、前記タイムゾーンブロックの外側において、一列に位置合せされていることを特徴とする請求項１に記載の電子番組ガイドを表示するための方法。
【請求項１３】
前記チャンネルセルは、スクロール自在の形態であることを特徴とする請求項１に記載の電子番組ガイドを表示するための方法。
【請求項１４】
前記タイムゾーンブロックは、スクロール自在の形態であることを特徴とする請求項１に記載の電子番組ガイドを表示するための方法。
【請求項１５】
スクリーンに電子番組ガイドを表示するための方法であって、
複数のチャンネルを前記スクリーンに表示し、複数のチャンネルから１つのチャンネルを選択するためのステップ、
選択されなかったチャンネルの番組名称を表示せず、選択されたチャンネルの複数の番組名称を、表示するためのステップ、
番組情報ページを前記スクリーンに表示し、前記番組情報ページに前記番組名称の１つを選択するためのステップ、および、
選択された前記番組名称の番組情報を表示するためのステップ
を有することを特徴とする電子番組ガイドを表示するための方法。
【請求項１６】
選択された前記番組の番組情報を表示するための前記ステップは、テレビ局から送信される番組を表示するためのステップを、さらに有することを特徴とする請求項１５に記載の電子番組ガイドを表示するための方法。
【請求項１７】
選択された前記番組の番組情報を表示するための前記ステップは、テレビ局から送信される情報を表示するためのステップを、さらに有することを特徴とする請求項１５に記載の電子番組ガイドを表示するための方法。
【手続補正２】
【補正対象書類名】明細書
【補正対象項目名】００１３
【補正方法】変更
【補正の内容】
【００１３】
しかし、図１に示されるタイプの電子番組ガイドは、単一のページにおいて複数のチャネルの番組を表示するため、過剰な文字によって、しばしば、番組／チャネル選択における困難を、生じる。その上、電子番組ガイドにおけるチャンネルの各々の番組情報が、供給チャンネル（ｓｕｐｐｌｙ  ｃｈａｎｎｅｌ）から送信される信号から得られるため、電子番組ガイドにおける特定の１つのチャンネルが選択されるまで、最新の番組情報を、引き出す（ｒｅｔｒｉｅｖｅ）ことができない。
【手続補正３】
【補正対象書類名】明細書
【補正対象項目名】００２１
【補正方法】変更
【補正の内容】
【００２１】
請求項１に記載の発明によれば、
スクリーンに電子番組ガイドを表示するための方法であって、
複数のチャンネルセルを前記スクリーンに表示し、前記複数のチャンネルセルは、一列に位置合せされ、前記複数のチャンネルセルの各々は、複数のチャンネルの名称の１つに、ラベル付けされており、
カーソルを前記スクリーンに表示し、前記複数のチャンネルセルの１つを前記カーソルで選択し、
選択された前記チャンネルセルに対応した番組情報ページを前記スクリーンに表示され、
前記番組情報ページは、複数のタイムゾーンブロック、および、複数の番組ブロックを有しており、
前記複数のタイムゾーンブロックは、複数のタイムゾーンを定義するため、前記チャンネルセルに対し直角をなし、一列に位置合せされ、
前記複数の番組ブロックの各々は、前記複数のタイムゾーンの１つに対応し、対応している前記タイムゾーンにおける選択されたチャンネルのみの番組名称を示す
ことを特徴とする電子番組ガイドを表示するための方法である。
【手続補正４】
【補正対象書類名】明細書
【補正対象項目名】００２２
【補正方法】変更
【補正の内容】
【００２２】
請求項１５に記載の発明によれば、
スクリーンに電子番組ガイドを表示するための方法であって、
複数のチャンネルを前記スクリーンに表示し、複数のチャンネルから１つのチャンネルを選択するためのステップ、
選択されなかったチャンネルの番組名称を表示せず、選択されたチャンネルの複数の番組名称を、表示するためのステップ、
番組情報ページを前記スクリーンに表示し、前記番組情報ページに前記番組名称の１つを選択するためのステップ、および、
選択された前記番組名称の番組情報を表示するためのステップ
を有することを特徴とする電子番組ガイドを表示するための方法である。
【手続補正５】
【補正対象書類名】明細書
【補正対象項目名】００２３
【補正方法】削除
【補正の内容】